(57)【要約】【課題】パネルの連接部における溝から定形材を除去して代わりに新規の不定形シーリング材を充填するといったパネル改修を行う際、溝側面の手入れ等の作業を別途行わずに済むようにする。【解決手段】２枚のパネル１の連接部に凹状に形成された溝２と、該溝２の底面２ａ側に打設された不定形シーリング材３と、溝２の表面側に装填された定形材４と、を含み、パネル１の表面から溝２の底面２ａにかけて不定形シーリング材が施工される前に予め下塗り塗膜層５が形成されており、定形材４が溝２に装填された後にパネル１の表面から定形材４の表面にかけて上塗りされた上塗り塗装膜６が形成されている。【選択図】図４
2012046884.tif 000002
【特許請求の範囲】
【請求項１】
２枚のパネルの連接部に凹状に形成された溝と、
該溝の底面側に打設された不定形シーリング材と、
前記溝の表面側に装填された定形材と、を含み、
前記パネルの表面から前記溝の底面にかけて前記不定形シーリング材が施工される前に予め下塗り塗膜層が形成されており、
前記定形材が前記溝に装填された後に前記パネルの表面から前記定形材の表面にかけて上塗りされた上塗り塗装膜が形成されたことを特徴とするパネルの目地構造。
【請求項２】
前記パネルがＡＬＣからなることを特徴とする請求項１に記載のパネルの目地構造。
【発明の詳細な説明】
【技術分野】
【０００１】
本発明は、パネルの目地構造に関する。さらに詳述すると、本発明は、建物の外壁等におけるパネルの目地構造の改良に関する。
【背景技術】
【０００２】
建物の外壁パネル間の目地を水密構造とするため、当該目地部に不定形シーリング材を打設したり、定形シーリング材又はガスケットと呼ばれる定形材を装填したりすることが行われている。また、不定形シーリング材を打設したのちに防水性能を有する定形材若しくは防水性能を有しない定形材を装填した不定形シーリング材と定形材の組み合わせによる目地構造も存在する。
【０００３】
このような不定形シーリング材と定形材の組み合わせによる目地構造を有し、且つ、ＡＬＣからなり表面及び目地部にかけて予め塗装を施し塗膜が形成された外壁パネルを使用して建物の新築工事を行う場合、外壁パネルを取り付け、目地部の溝に不定形シーリング材の打設や定形材の装填を行った後で、外壁パネルの表面から不定形シーリング材や定形材の表面にかけて改めて塗装を施すことは行わないのが一般的である（例えば特許文献１参照）。
【先行技術文献】
【特許文献】
【０００４】
【特許文献１】特開２００６−２８３５０９号公報
【発明の概要】
【発明が解決しようとする課題】
【０００５】
しかしながら、定形材によるシール効果は完全なものではなく、定形材の経年の収縮や硬化等によって溝の側面と定形材との境界部に隙間が生じ、該隙間から水分や外気が浸入することによってパネルの連接部（目地部）における溝の側面が汚染され、塗膜の劣化が進行するおそれがある。従って、特許文献１に記載のように、目地部の改修時（不定形シーリング材の耐用年数経過時）、不定形シーリング材を除去することなく定形材のみを除去し、このとき形成される空間に新規な不定形シーリング材を定形材に替えて充填しようとした場合、塗膜の劣化の進行によって、当該劣化した塗膜や付着した汚れの除去等、溝側面の手入れが必要な状況になりかねない。
【０００６】
そこで、本発明は、パネルの連接部における溝から定形材を除去して代わりに新規の不定形シーリング材を充填するといったパネル改修を行う際、溝側面の手入れ等の作業を別途行わずに済むようにしたパネルの目地構造を提供することを目的とする。
【課題を解決するための手段】
【０００７】
かかる課題を解決するべく本発明者は目地構造について検討した。上述したように、定形材によるシール効果は完全ではなく、当該定形材とパネル連接部の溝側面との間に浸入することのある水分や外気が汚染をもたらす場合がある。このような汚染の手入れをパネル改修時に実施する場合、とくに溝が幅狭であったり深かったりすれば手入れ作業に手間を要し、その確認作業も簡単ではない。こうした点についてさらに検討した本発明者は、課題の解決に結び付く新たな知見を得るに至った。
【０００８】
本発明にかかるパネルの目地構造はこのような知見に基づくもので、２枚のパネルの連接部に凹状に形成された溝と、該溝の底面側に打設された不定形シーリング材と、溝の表面側に装填された定形材と、を含み、パネルの表面から溝の底面にかけて不定形シーリング材が施工される前に予め下塗り塗膜層が形成されており、定形材が溝に装填された後にパネルの表面から定形材の表面にかけて上塗りされた上塗り塗装膜が形成されたことを特徴とする。
【０００９】
本発明にかかる目地構造では、少なくとも不定形シーリング材が施工される前の時点で下塗り塗膜層が、溝の側面のうち定形材に接する部分をも保護することが可能である。これによれば、パネル改修時（例えば、パネル連接部の溝から定形材を除去して新規の不定形シーリング材を充填するといった作業時）に新規の不定形シーリング材が充填されることになる部分（改修時まで定形材が装填されていた部分であって、改修時、これに代わり新しい不定形シーリング材が充填される部分）における溝側面の劣化や異物の付着を抑止することができ、したがって当該パネルの連接後の状態下で下塗り塗膜層を改めて形成する必要がない。このため、パネル改修時、溝側面の手入れ等の作業を別途行わずに済む。
【００１０】
また、このようなパネルの目地構造においては、パネルがＡＬＣからなり、該ＡＬＣの表面から溝の底面にかけて予め下塗り塗膜層が形成されていることが好ましい。この場合、溝に泥や油などの異物が付着しにくく、仮に付着しても洗浄しやすいので、溝側面の劣化や異物の付着を抑止することができる。
【発明の効果】
【００１１】
本発明によれば、パネルの連接部における溝から定形材を除去して代わりに新規の不定形シーリング材を充填するといったパネル改修を行う際、溝側面の手入れ等の作業を別途行わずに済む。
【図面の簡単な説明】
【００１２】
【図１】不定形シーリング材が施工される前の時点で下塗り塗膜層が所定範囲に形成された外壁パネルの一例を示す図である。
【図２】外壁パネルの表面から溝の底面に至るまでの範囲に塗膜層が形成された目地構造を示す図である。
【図３】溝に不定形シーリング材が打設された目地構造を示す図である。
【図４】溝に定形材が装填された目地構造を示す図である。
【発明を実施するための形態】
【００１３】
以下、本発明の好適な実施形態の一例を図面に基づいて説明する。
【００１４】
図１〜図４に、本発明にかかるパネルの目地構造およびその工法を建物の外壁を構成する外壁パネルに適用した場合の一例を示す。本実施形態における外壁パネル１の目地構造は、外壁パネル１，１の連接部に凹状に形成された溝２の底面２ａ側に不定形シーリング材３を打設し、該不定形シーリング材３の表面が未硬化のうちに溝２に定形材４を装填してなる水密の構造である。
【００１５】
外壁パネル１は、例えば一般的に流通しているＡＬＣ（Autoclaved Light-weight Concrete；軽量気泡コンクリート）からなる板状部材であり、例えば鉄骨造建物の外周部に取り付けられて外壁を構成する。なお、外壁パネル１の他の具体例としては、ＰＣａ板、ＧＲＣ、押出し成形セメント板、窯業系サイディング、金属サイディング、塗装鋼板、金属パネル、ガラス、石材等が挙げられる。
【００１６】
外壁パネル１の表面側の端縁部は切り欠かれており、２枚の外壁パネル１を連接することによって、その連接部に凹状の溝２が形成されている（図１等参照）。なお、特に図示していないが、この溝２は深くなるにつれ幅狭となるように、溝２の側面が傾斜したものや階段状に段差が設けられたものであってもよい。
【００１７】
不定形シーリング材３は、溝２に打設されて外壁パネル１間の連接部（目地）を水密構造とするものである（図３等参照）。不定形シーリング材３としては、外壁パネルの材質等に応じて一般的に流通している湿式シーリング材を適宜選択して用いることができ、特にＡＬＣからなる外壁パネルに対しては、柔軟性に富み、地震等の外力により変形した際に母材の破壊を生じさせにくい変成シリコーン系、アクリルウレタン系、ポリウレタン系等のシーリング材が好ましい。また、具体例として、ＪＩＳ Ａ ５７５８：１９９７に規定されるシリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系のものなどが挙げられる。ペースト状の不定形シーリング材３は、例えばシーリングガンを用いて溝２に打設され、その後、へらを用いてその表面３ａを加圧することで溝２の底面２ａ側に密実に充填されると同時に表面３ａが平滑に仕上げられる。
【００１８】
定形材４は、不定形シーリング材３が耐用年数に達した際に、溝２に新たな不定形シーリング材を打設する為の打設しろを予め確保しておく為のものであり、溝２の幅寸法に対応した幅寸法を有し、上述の不定形シーリング材３に重ね合わされるように溝２に装填される。
【００１９】
定形材４は、上述した不定形シーリング材３の表面３ａが硬化するまでの間に溝２に装填され、当該不定形シーリング材３の表面３ａの接着力によって保持される（図４参照）。より具体的には、不定形シーリング材３が未硬化で表面３ａに粘着性がある状態で、当該不定形シーリング材３の表面３ａと定形材４とが密着するように定形材４を溝２へ装填され、不定形シーリング材３が未硬化の状態では該不定形シーリング材３の粘着性による接着力によって保持され、また不定形シーリング材３が硬化するにつれて化学的な接着力によって保持される。このように不定形シーリング材３が有する接着力を利用して定形材４を保持することとすれば、接着材などを別途使用する必要がない。なお、定形材４は、一般的に建築用ガスケット材として流通しているプラスチック系や合成ゴム系の材料で形成することができるが、このように不定形シーリング材３の接着力によって保持されることからすれば、当該不定形シーリング材３との接着性能が良好な塩化ビニルやＴＰＵ（熱可塑性ポリウレタン）や天然ゴムなどであることが好ましい。
【００２０】
このような不定形シーリング材３と定形材４の組み合わせによる目地構造において、建物の新築当初から所定年数（不定形シーリング材３の耐用年数）が経過して改修が必要となった際に、一般的には、不定形シーリング材３を除去したうえで新たな不定形シーリング材を打設するものであるところを、不定形シーリング材３を除去することなく定形材４のみを除去し、このとき溝２に形成される空隙に新規な不定形シーリング材を打設することを可能としている。この点を考慮すると、定形材４の厚さは改修後に求められる性能（耐用年数）に応じたものとしておくことが好ましい。例えば、新築当初に溝２に打設された不定形シーリング材３と同等の性能を有する新規な不定形シーリング材を改修時に当該空隙に打設し、次回の改修までの期間を新築から最初の改修までの期間と同等とすることを意図する場合には、定形材４の厚さを、不定形シーリング材３の厚さとほぼ等しい厚さに確保しておくことが好ましい。また、改修時、当初打設された不定形シーリング材３よりも高性能な不定形シーリング材を用いることが想定される場合は、その性能の度合いに応じて定形材４の厚さを小さくすることもできる。
【００２１】
下塗り塗膜層５は、外壁パネル１の表面から溝２の底面２ａにかけて塗布された塗料によって形成されている。塗料は、例えば合成樹脂エマルジョンあるいは溶液形合成樹脂などであり、塗装範囲は、少なくとも当該外壁パネル１の表面から溝２の底面２ａ（を構成する切り欠き面）に至るまでの範囲である。本実施形態では、建物の躯体に取り付けられる前の段階、例えば外壁パネル１の製造工場等において、外壁パネル１の表面に塗料を予め塗布して下塗り塗膜層５を形成している（図２等参照）。
【００２２】
続いて、外壁パネル１の目地構造の施工手順について以下に説明する（図１等参照）。
【００２３】
まず、予め工場において表面及び溝２の底面２ａに塗装を施して下塗り塗膜層５が形成された外壁パネル１を、建物の外周部に連接するように取り付ける。このとき、隣接する外壁パネル１の間の連接部（目地）に溝２が形成される（図１参照）。
【００２４】
下塗り塗膜層５は遅くとも不定形シーリング材３が打設される前に形成されていればよく、本実施形態では当該外壁パネル１が建物の外壁にて連接される前に工場において外壁パネル１の所定領域に予め塗装を施して下塗り塗膜層５を形成しておく。こうした場合、施工現場で塗料が乾くまで待つような必要がないため施工時間短縮に有利である。もちろん、外壁パネル１が建物の外壁にて連接される前であれば、例えば当該施工現場において下塗り塗膜層５を形成すること（現場塗装）も可能である。
【００２５】
次に、溝２の不定形シーリング材３が接触する面にプライマーを塗布する。このとき、溝２には下塗り塗膜層５が形成されているので、プライマーが吸収されることを阻止してプライマーの刷毛伸びが向上させることができ、また、溝２の表面の凹凸を滑らかにしてプライマーの塗りムラを発生しにくくすることができる。
【００２６】
また、例えば、下塗り塗膜層５が淡色系（例えば白色系や灰色系など）の場合、濃色系（例えば濃い青色系や緑色系など）に着色されたプライマーを用いることによって、溝部２へのプライマー層の形成状態を目視により容易に確認することができる。
【００２７】
次に、溝２にシーリングガンを用いて不定形シーリング材３を打設し（図３参照）、その後、へらを用いて加圧することで、当該不定形シーリング材３を溝２に密実に打設しながらその表面３ａを平滑に仕上げる。この際、溝２の表面側には定形材４の装填しろを確保しておく。
【００２８】
次に、この不定形シーリング材３の表面３ａが硬化する前に、定形材４を溝２に装填し、該不定形シーリング材３の表面３ａの接着力によって保持させる（図４参照）。具体的には、作業者らが定形材４を溝２に押し込むといった動作により、定形材４を不定形シーリング材３の表面３ａに密着させてその粘着力によって接着させることができる。
【００２９】
その後、外壁パネル１と定形材４の表面に同時に上塗り塗料を吹き付けて上塗り塗装膜６を形成する（図４参照）。
【００３０】
ここまで説明したように、本実施形態における外壁パネル１の目地構造によれば、外壁パネル１が連接される前の時点で下塗り塗膜層５が当該外壁パネル１の所定範囲（少なくとも、溝２の側面のうち定形材４に接する部分を含む範囲）に形成されていることから（図１参照）、少なくとも当該範囲（少なくとも、溝２の側面のうち定形材４に接する部分を含む範囲）を保護することができる。これによれば、外壁パネル１の連接部における溝２から定形材４を除去してそこに新しく別の不定形シーリング材を充填するといったパネル改修作業時に至るまで、新規の不定形シーリング材が充填されることになる部分における溝２の側面を劣化や異物付着などから保護することができる。したがって、この目地構造によれば、パネル改修時、溝側面の手入れ等の作業を別途行わずに済む。
【００３１】
また、不定形シーリング材３の接着力を利用して定形材４を保持させるため該定形材４に突起部等を設ける必要がなく、低コスト化を図ることが可能である。
【００３２】
また、不定形シーリング材３を打設した後、直ちに定形材４を装填することができるうえ、その際に不定形シーリング材３には美観的性能が要求されないため仕上げ工事が簡略化でき、工期短縮、費用削減を図ることが可能である。
【００３３】
さらに、定形材４の形状を複雑にする必要がないので、経年後の目地の改修時、当該定形材４を除去する際に従来ほどの手間を要しないという利点もある。
【００３４】
上述した実施形態は本発明の好適な実施の一例ではあるが、これに限定されるものではなく、本発明の要旨を逸脱しない範囲において種々変形実施可能である。
【００３５】
例えば、上述した実施形態では、不定形シーリング材３の接着力を利用して定形材４を保持するようにしたが、場合によっては、不定形シーリング材３の接着力によって定形材４を一時的に保持し、別手段（例えば上塗り塗装膜６）で当該定形材４を更に安定して保持することも可能である（図４参照）。
【符号の説明】
【００３６】
１…外壁パネル（パネル）、２…溝、２ａ…溝の底面、３…不定形シーリング材、３ａ…不定形シーリング材の表面、４…定形材、５…下塗り塗膜層、６…上塗り塗装膜
【図１】
2012046884.tif 000003
【図２】
2012046884.tif 000004
【図３】
2012046884.tif 000005
【図４】
2012046884.tif 000006